(57)【特許請求の範囲】
【請求項１】
セメントレス人工膝関節用大腿骨コンポーネント（１）であって、
内外方向又は腹背方向に延びる複数の隆起部を有する前記大腿骨コンポーネントの支持構造物を画定する前記大腿骨コンポーネントの本体（２）と、
前記大腿骨コンポーネントの前記本体の隣接する前記隆起部の間に配置された高多孔質構造体（３）と、
骨との境界面を画定するように配置された多孔質構造体（４）と
を備え、ＥＢＭビーム粉体技術又はレーザービーム粉体技術を用いて提供される大腿骨コンポーネント（１）。
【請求項２】
セメントを用いる人工膝関節用大腿骨コンポーネント（１）であって、
内外方向又は腹背方向に延びる複数の隆起部を有する前記大腿骨コンポーネントの支持構造物を画定するように適合されている前記大腿骨コンポーネントの本体（２）と、
前記本体の隣接する前記隆起部の間に配置された高多孔質構造体（３）と、
前記高多孔質構造体を覆って配置され、骨との境界面を画定するようになっている実質的に滑らかな構造体（５）と
を備え、ＥＢＭビーム粉体技術又はレーザービーム粉体技術を用いて提供される大腿骨コンポーネント。
【請求項３】
前記大腿骨コンポーネントと前記骨の間の境界面として配置された前記多孔質構造体（４）は、３００から１０００マイクロメートルの間で構成された多孔性を有することを特徴とする、請求項１に記載の大腿骨コンポーネント。
【請求項４】
前記骨とセメントを用いずに係合するようになっていることを特徴とする、請求項１に記載の大腿骨コンポーネント。
【請求項５】
前記骨とセメントを用いて係合するようになっていることを特徴とする、請求項２に記載の大腿骨コンポーネント。
【請求項６】
前記高多孔質構造体（３）は、１０００マイクロメートルより大きい多孔性を有することを特徴とする、請求項１又は請求項２に記載の大腿骨コンポーネント。
【発明の詳細な説明】
【技術分野】
【０００１】
本発明は、人工膝関節用大腿骨コンポーネントに関する。より具体的には、本発明は、性質が異なりそれ故に軽量化された多孔性を有する膝関節用大腿骨コンポーネントに関する。
【背景技術】
【０００２】
既知のように、膝関節用人工関節は、実施された移植の数に関して、また、ますます高性能化する人工関節の研究に関して継続的に発展してきている。
【０００３】
人工膝関節は、移植された人工股関節の数と同等か、時としてそれを上回るような数にまで及んできている。
【０００４】
膝は、下半身で最も重要で複雑な関節である。膝は広い可動域を有しているが、靱帯組織によって良好な安定性を有している。膝について、骨コンポーネントと、腱の構成物を備えるカプセル状の組織とを認識することができる。
【０００５】
人工関節の移植による膝の治療が必要となるのは、関節症、リウマチ性関節炎、骨壊死、及び腫瘍に主に起因する。
【０００６】
人工膝関節はトリコンパートメンタル（tricompartmental）タイプであってもよく、この場合は以下の構成物から成る。
【０００７】
ａ）圧接（圧力嵌合による）とアクリルセメントとの両方で骨に固定される金属製の大腿骨コンポーネント。第１の場合には、骨と接触する金属表面は、骨壁の人工関節自体との良好な骨結合を許容するマイクロフィニッシュを有する。
第２の態様はセメント付けであり、言い換えるならば、外科医がアクリルセメント（メタクリル酸メチル）として知られた一種の接着剤を使用して人工関節を受け側の骨に固定する。
ｂ）例えばアクリルセメント（及び場合によってネジ）を用いて骨に固定される金属製の脛骨コンポーネント。
ｃ）前記脛骨コンポーネントの上面に連結された（超高分子密度であり、従って非常に強い）ポリエチレン製のインサート。このインサートは２つの金属製コンポーネント間の衝撃吸収装置として働き、これらのコンポーネントを金属の摩耗なしに動作しやすくする。
ｄ）好ましくはセメントを用いて固定される任意の膝蓋骨コンポーネント。
【０００８】
既知の人工関節は、またユニコンパートメンタル（unicompartmental）タイプ又はバイコンパートメンタル（bicompartmental）タイプであってもよい。
【０００９】
前記大腿骨の人工関節の欠点の１つは、前記人工関節それ自身の十分な機械的な強度を保証するために必要な前記人工関節の前記大腿骨コンポーネントの重量に起因する。
【発明の概要】
【発明が解決しようとする課題】
【００１０】
本発明の狙いは、既知のタイプの大腿骨コンポーネントと比べ、性質が異なりそれ故に軽量化された多孔性を有し、セメントレスタイプ及びセメントを用いるタイプであり、ユニコンパートメンタル、バイコンパートメンタル、及びトリコンパートメンタルである人工膝関節の大腿骨コンポーネントを提供することである。
【００１１】
この目的の中で、本発明の１つの目的は、既知のタイプの大腿骨コンポーネントと比べ、性質が異なりそれ故に軽量化された多孔性にも関わらず、既知のタイプの大腿骨コンポーネントに匹敵する機械的強度を有する大腿骨コンポーネントを提供することである。
【００１２】
本発明の他の目的は、信頼性が高く、比較的簡単に提供することができ、競争力のある価格である大腿骨コンポーネントを提供することである。
【課題を解決するための手段】
【００１３】
以下でより明らかになる前記狙い及び前記目的等は、
セメントレス人工膝関節用大腿骨コンポーネントであって、
内外方向又は長手方向の補強部及び前記補強部に隣接する位置にある軽量部を有する前記大腿骨コンポーネントの支持構造物を画定する前記大腿骨コンポーネントの本体と、
前記大腿骨コンポーネントの前記本体の内側に配置された高多孔質構造体と、
前記大腿骨コンポーネントと骨の間の境界面として配置された多孔質構造体と
を備え、ＥＢＭビーム粉体技術又はレーザービーム粉体技術を用いて提供される前記大腿骨コンポーネントによって達成される。
【００１４】
前記狙いは、
セメントを用いる人工膝関節用大腿骨コンポーネントであって、
内外方向又は長手方向の補強部及び前記補強部に隣接する位置にある軽量部を有する前記大腿骨コンポーネントの支持構造物を画定するように適合されている前記大腿骨コンポーネントの本体と、
前記本体の内側に配置された高多孔質構造体と、
前記多孔質コンポーネントを覆って配置され、骨との境界面を画定するようになっている実質的に滑らかな構造体と
を備え、ＥＢＭビーム粉体技術又はレーザービーム粉体技術を用いて提供される前記大腿骨コンポーネントによっても達成される。
【００１５】
本発明の更なる特徴及び利点は、添付図面の非限定的な例として図解されている本発明に係る大腿骨コンポーネントの好適ではあるが限定的ではない実施形態の説明からより明らかになる。
【図面の簡単な説明】
【００１６】
【図１】本発明に係るセメントレス大腿骨コンポーネントの第１実施形態の斜視図。
【図２】本発明に係る大腿骨コンポーネントの図１とは異なった角度からの斜視図。
【図３】図１及び図２の大腿骨コンポーネントの一部正面断面図。
【図４】本発明に係る大腿骨コンポーネントの一部断面図。
【図５】本発明に係る大腿骨コンポーネントの分解斜視図。
【図６】本発明に係る大腿骨コンポーネントのセメントを用いる第２実施形態の斜視図。
【図７】本発明に係る長手方向の補強部を備える大腿骨コンポーネントの実施形態。
【発明を実施するための形態】
【００１７】
図を参照すると、参照符号１で示される本発明に係る人工膝関節用大腿骨コンポーネントは、この大腿骨コンポーネントがセメントなしで固着されている第１実施形態において、前記大腿骨コンポーネントの本体２を備えている。前記大腿骨コンポーネントの本体２は、前記大腿骨コンポーネントの支持構造物を画定し、前記支持構造物は、ユニコンパートメンタル、バイコンパートメンタル、及びトリコンパートメンタルタイプであることができ、例えばＥＢＭ（電子ビーム溶融、ないし電子ビーム積層造形）ビーム又はレーザービームを用いた粉体技術を用いて提供される。
【００１８】
本体２は、内外方向の補強部（図４参照）又は長手方向の補強部（図７に示す）を備える。
【００１９】
前記大腿骨コンポーネントは、好適には、コバルトクロム又はその他の適切な材料からなる。
【００２０】
このように提供された本体２の内部は、高多孔質構造体（１０００マイクロメートルより大きい多孔性を有する）で被覆されており、３００から１０００マイクロメートルで構成されている多孔性を有する多孔質構造体４は、前記高多孔質構造体上において、前記大腿骨コンポーネントと前記骨の境界面に配置されている。
【００２１】
高多孔質構造体３と多孔質構造体４は共に、前記人工関節の本体２と同様に前述した粉体技術を用いて提供される。
【００２２】
前記大腿骨コンポーネントがセメントを用いて取り付けられるようになっている第２実施形態では、第１実施形態の多孔質構造体４は、滑らかで２０マイクロメートルより小さな多孔性を有する多孔質構造体である骨接合面５（図６参照）に置き換えられている。
【００２３】
以上の実施形態を用いると、軽量化されているが適当かつ十分な機械的強度を有する人工膝関節の大腿骨コンポーネントを提供することが可能になる。
【００２４】
実際に、本発明に係る大腿骨コンポーネントは意図した狙いと目的を十分に達成するということがわかる。
【００２５】
このように考えられた前記大腿骨コンポーネントは、添付の請求項の範囲内の多数の変更と変化を許容する。更に、細部の全てはその他の技術的に均等な要素によって置き換えられてもよい。
【００２６】
実際には、使用される材料と、付随的な形状及び寸法は、要求と技術水準に従って任意である。
【００２７】
本願が優先権を主張する、イタリア特許出願第ＭＩ２０１３Ａ００２１５４号は、参照することでここに組み込まれる。
【００２８】
請求項で述べられる技術的特徴は参照記号を伴い、それらの参照記号は、請求項の明瞭さを高めることを唯一の目的として付加されており、それ故に、そのような参照記号によって例として同定される各要素の解釈に制限的な影響を及ぼさない。
【符号の説明】
【００２９】
１  大腿骨コンポーネント
２  本体
３  高多孔質構造体
４  多孔質構造体
５  骨接合面
【図１】
0006595481.tif 000002
【図２】
0006595481.tif 000003
【図３】
0006595481.tif 000004
【図４】
0006595481.tif 000005
【図５】
0006595481.tif 000006
【図６】
0006595481.tif 000007
【図７】
0006595481.tif 000008